(57)【要約】【課題】カウンター上に電気機器が載置された場合に、その配線の引き回し接続が容易で整然と行われ、カウンターが厚くても、その後端部の嵌合支持強度は十分で、支持構造もコンパクトに納まって美観性が向上されるカウンター取付構造を提供することである。【解決手段】カウンター１と、カウンター１の後端部が嵌合支持される前方へ開口した凹溝部２を有して壁面３に取付固定される支持レール４と、支持レール４の長手方向端部に隣接して配置される配線ユニット５とを備え、配線ユニット５には前記凹溝部２と略同じ縦断面形状でこれと連続するよう前方へ開口して前記カウンター１の後端部が嵌合される凹所６を形成し、同配線ユニット５の凹所６上側の上部１９に配線コネクタ部７を設けた。【選択図】図１
2010184056.tif 000002
【特許請求の範囲】
【請求項１】
カウンターと、カウンターの後端部が嵌合支持される前方へ開口した凹溝部を有して壁面に取付固定される支持レールと、支持レールの長手方向端部に隣接して配置される配線ユニットとを備え、配線ユニットには前記凹溝部と略同じ縦断面形状でこれと連続するよう前方へ開口して前記カウンターの後端部が嵌合される凹所を形成し、同配線ユニットの凹所上側の上部に配線コネクタ部を設けてなるカウンター取付構造。
【請求項２】
配線ユニットの両側に支持レールを配設したことを特徴とする請求項１記載のカウンター取付構造。
【請求項３】
配線ユニットの凹所下側の下部を支持レールと略同じ縦断面外形状に形成したことを特徴とする請求項１又は２記載のカウンター取付構造。
【請求項４】
配線ユニットの上部前面に配線コネクタ部を設け、配線ユニットの上部後方を配線スペースとして後面に開口させ、配線コネクタ部からの配線が同配線スペースを通して壁面の裏側外部に導出されるようになしたことを特徴とする請求項１〜３のいずれか一項記載のカウンター取付構造。
【発明の詳細な説明】
【技術分野】
【０００１】
本願発明は、カウンターと、カウンターの後端部が嵌合支持される前方へ開口した凹溝部を有して壁面に取付固定される支持レールとを備えてなるカウンター取付構造に関するものである。
【背景技術】
【０００２】
従来から、特開２００４−１９４９２２号公報（特許文献１）に示されるようなカウンター取付構造は知られている。このカウンター取付構造は、図７に示すように、カウンター１と、カウンター１の後端部が嵌合支持される前方へ開口した凹溝部２を有して壁面３に取付固定される支持レール４とを備えている。このカウンター取付構造では、支持レール４がビスによって壁面３に取付固定され、支持レール４の凹溝部２にカウンター１の後端部が嵌合される。そして、支持レール４の下側からねじ込まれるビスによってカウンター１の後端部が支持レール４に固定支持され、支持レール４の下側にカバーを嵌着することによって前記ビスが覆い隠される。
【０００３】
したがって、このカウンター取付構造にあっては、カウンター１の後端部を保持する支持レール４によって、壁面３への取付保持力が向上し、支持レール４下側のビスがカバーにより覆い隠されて外観の美観性も向上するとされている。
【０００４】
ところで、上記カウンター１上には、パソコン、テレビ、調理機器等の電気機器が載置されることがある。このような場合、一般には、壁面３にコンセント等の配線コネクタが設けられており、この配線コネクタまで電気機器からの電源コードや信号ケーブル等の配線を引き回さなければならない。そのため、配線が届かず延長コードを必要としたり、配線が長くなり納まりが悪くなって美観を損ねたり、最悪、配線コネクタに配線を接続することができず、電気機器を使用できなくなってしまうようなこともある。
【０００５】
そこで、特開２００７−３０９号公報（特許文献２）に示されるように、配線自由度に優れたカウンター取付構造も提案されている。このカウンター取付構造も、図８に示すように、カウンター１と、カウンター１の後端部が嵌合支持される前方へ開口した凹溝部２を有して壁面３に取付固定される支持レール４とを備えている。このカウンター取付構造にあっては、支持レール４の凹溝部２に、カウンター１の後端部だけでなく、その上側に中空形状の化粧部材２２を嵌合固定している。そして、化粧部材２２にはその中空内部を開閉するカバー蓋体２３が設けられており、このカバー蓋体２３にコンセント２４を付設している。
【０００６】
したがって、このカウンター取付構造にあっては、壁面３に取付固定される支持レール４の凹溝部２内下側にカウンター１の後端部が納められ、同凹溝部２内上側に化粧部材２２が嵌合固定されて、カウンター１は確実に取付支持され、体裁も良好に納められるとされている。しかも、化粧部材２２は中空形状でその内部に配線を収納することができるので、外観に支障を来たすことなく配線自由度に優れたものとなるとされている。
【先行技術文献】
【特許文献】
【０００７】
【特許文献１】特開２００４−１９４９２２号公報
【特許文献２】特開２００７−３０９号公報
【発明の概要】
【発明が解決しようとする課題】
【０００８】
しかしながら、上記特許文献２に示された従来のカウンター取付構造にあっては、支持レール４の凹溝部２に、カウンター１の後端部だけでなく、その上側に中空形状の化粧部材２２が嵌合固定されるので、カウンター１の後端部の凹溝部２における嵌合支持強度は十分でなく、しかも、化粧部材２２の分だけ凹溝部２の溝巾寸法を大きく必要として、特に、カウンター１が厚くなった場合に支持構造は大型化してしまうものである。
【０００９】
本願発明は、上記背景技術に鑑みて発明されたもので、その課題は、カウンター上に電気機器が載置された場合に、その配線の引き回し接続を容易に整然と行うことができ、カウンターが厚くても、その後端部の嵌合支持強度は十分で、支持構造もコンパクトに納まって美観性が向上されるカウンター取付構造を提供することである。
【課題を解決するための手段】
【００１０】
上記課題を解決するために、本願請求項１記載の発明では、カウンターと、カウンターの後端部が嵌合支持される前方へ開口した凹溝部を有して壁面に取付固定される支持レールと、支持レールの長手方向端部に隣接して配置される配線ユニットとを備え、配線ユニットには前記凹溝部と略同じ縦断面形状でこれと連続するよう前方へ開口して前記カウンターの後端部が嵌合される凹所を形成し、同配線ユニットの凹所上側の上部に配線コネクタ部を設けてなるカウンター取付構造とした。
【００１１】
又、本願請求項２記載の発明では、上記請求項１記載のカウンター取付構造において、配線ユニットの両側に支持レールを配設したことを特徴としている。
【００１２】
又、本願請求項３記載の発明では、上記請求項１又は２記載のカウンター取付構造において、配線ユニットの凹所下側の下部を支持レールと略同じ縦断面外形状に形成したことを特徴としている。
【００１３】
又、本願請求項４記載の発明では、上記請求項１〜３のいずれか一項記載のカウンター取付構造において、配線ユニットの上部前面に配線コネクタ部を設け、配線ユニットの上部後方を配線スペースとして後面に開口させ、配線コネクタ部からの配線が同配線スペースを通して壁面の裏側外部に導出されるようになしたことを特徴としている。
【発明の効果】
【００１４】
本願請求項１記載の発明のカウンター取付構造においては、配線ユニットが支持レールの長手方向端部に隣接して配置され、この配線ユニットには支持レールの凹溝部と略同じ縦断面形状でこれと連続するよう前方へ開口してカウンターの後端部が嵌合される凹所が形成されているので、カウンターが厚くても、カウンターの後端部は支持レールの凹溝部に支障なく嵌合支持されて確実強固に支持される。しかも、カウンターの後端部は、連続する支持レールの凹溝部と配線ユニットの凹所とに嵌合されて納まり、コンパクトな外観に仕上がって美観性が向上される。そして、配線ユニットの凹所上側の上部に配線コネクタ部が設けられ、この配線コネクタ部はカウンターの後方上側に近接配置されることになるので、カウンター上に電気機器が載置された場合に、その配線の配線コネクタ部への引き回し接続を容易に且つ整然と行うことができる。
【００１５】
又、本願請求項２記載の発明のカウンター取付構造においては、特に、配線ユニットの両側に支持レールが配設されるので、カウンターの後端部の長手方向中程に配線ユニットを配置させることができ、この配線ユニットとカウンター上に載置される電気機器との配線接続はより自由度を増し、電気機器の使い勝手が向上される。
【００１６】
又、本願請求項３記載の発明のカウンター取付構造においては、特に、配線ユニットの凹所下側の下部が支持レールと略同じ縦断面外形状に形成されているので、カウンターの後端部下側において、支持レールと配線ユニットとが一連の外観形状に納まり、美観性をより向上させることができる。
【００１７】
又、本願請求項４記載の発明のカウンター取付構造においては、特に、配線ユニットの上部前面に配線コネクタ部が設けられるので、この配線コネクタ部に対する電気機器の配線接続は前方から行い易くなる。しかも、配線ユニットの上部後方が配線スペースとして後面に開口され、配線コネクタ部からの配線は同配線スペースを通して壁面の裏側外部に導出されるようになっているので、配線コネクタ部からの配線を壁面に露出しないように施工することができ、配線ユニット周辺は外観良好に納められる。
【図面の簡単な説明】
【００１８】
【図１】本願発明の一実施形態であるカウンター取付構造の全体を示す斜視図。
【図２】同カウンター取付構造の支持レールの部位における縦断面図。
【図３】同カウンター取付構造の配線ユニットの部位における縦断面図。。
【図４】同配線ユニットを示す側面図。
【図５】同配線ユニットを示す斜視図。
【図６】同カウンター取付構造において使用し得る別の配線ユニットを示す斜視図。
【図７】従来例であるカウンター取付構造の要部を示す縦断面図。
【図８】別の従来例であるカウンター取付構造の要部を示す分解斜視図。
【発明を実施するための形態】
【００１９】
図１、図２は、本願請求項１〜４全て対応した一実施形態であるカウンター取付構造を示している。このカウンター取付構造は、カウンター１と、カウンター１の後端部が嵌合支持される前方へ開口した凹溝部２を有して壁面３に取付固定される支持レール４と、支持レール４の長手方向端部に隣接して配置される配線ユニット５とを備えている。この場合、配線ユニット５の両側に支持レール４が配設されている。
【００２０】
図３〜図５にも示すように、配線ユニット５には、前記支持レール４の凹溝部２と略同じ縦断面形状でこれと連続するよう前方へ開口して前記カウンター１の後端部が嵌合される凹所６を形成し、同配線ユニット５の凹所６上側の上部１９に配線コネクタ部７を設けている。又、配線ユニット５の凹所６下側の下部２０を支持レール４と略同じ縦断面外形状に形成している。そして、図３に示すように、配線ユニット５の上部１９前面に配線コネクタ部７を設け、配線ユニット５の上部１９後方を配線スペース８として後面に開口させ、配線コネクタ部７からの配線９が同配線スペース８を通して壁面３の裏側外部に導出されるようになしている。
【００２１】
以下、この実施形態のカウンター取付構造をより具体的詳細に説明する。図１に示すように、カウンター１は横長矩形状で木質板でなり、その後端部が支持レール４の凹溝部２に嵌合支持されている。なお、カウンター１は木質板の他に、例えば、合成樹脂板、金属板、或いは、これ等の複合板であってもよいが、これ等の場合、軽量となるよう中空状に形成されることが好ましい。又、カウンター１の厚みは、２０〜５０mmとすることができる。
【００２２】
図２に示すように、支持レール４は、凹溝部２を有するレール本体１０と、壁面３に取付固定されるベース部材１１と、支持レール４の下側に嵌着されるカバー部材１２とで構成される。レール本体１０はアルミニウム押出型材であるが、強固であれば合成樹脂押出型材であってもよい。そして、レール本体１０には、その上片部１３と下片部１４との間に前方へ開口した凹溝部２が形成されており、この凹溝部２の溝巾は前記カウンター１の厚みと略等しいか若干小さく設定される。
【００２３】
レール本体１０の下片部１４は、上片部１３よりも前方へ大きく突出されており、後側程上下方向寸法が大きく形成されていて、その上にカウンター１の後端部が確実に支持されるようになっている。又、レール本体１０の下片部１４の後端部分には、後方へ開口した溝状空所１５が形成されており、この溝状空所１５は壁面３に釘１６にて打付固定されたベース部材１１に嵌着固定される。ベース部材１１は木製で、壁面３の強度を有する適所、例えば、柱位置に釘１６で打付固定される。レール本体１０は、その溝状空所１５がベース部材１１に嵌着固定されることだけで支持されてもよいが、この場合には、接着剤が併用されてもよいし、図７に示した従来例と同様に、ビスによって壁面３に取付固定されてもよい。
【００２４】
レール本体１０がベース部材１１を介して壁面３に取付固定された状態で、レール本体１０の凹溝部２にその前方からカウンター１の後端部が差込嵌合される。そして、レール本体１０の下片部１４の下側には凹曲部１７が形成されており、この凹曲部１７内において下側からねじ込まれるビス１８によって、カウンター１の後端部はレール本体１０に固定支持される。凹曲部１７の下側開口にはこれを塞ぐ合成樹脂製のカバー１２が着脱自在に嵌着され、凹曲部１７と共に前記ビス１８は体裁良く覆い隠される。なお、レール本体１０の凹溝部２とカウンター１の後端部との嵌合状態が確実強固なものであれば、前記ビス１８による固定支持は省略することができる。
【００２５】
支持レール４の長手方向端部に隣接して配置される配線ユニット５は、その両側に支持レール４が配設されるので、両側の支持レール４の間に介在されることになる。支持レール４の長さ寸法は、工場や施工現場において切断することにより調整することができ、これにより、両側の支持レール４の間に介在される配線ユニット５の位置を適宜に設定することができる。この場合、支持レール４の長さ寸法と配線ユニット５の左右巾寸法の合計が、カウンター１の後端部の長手方向寸法に合致されることになる。
【００２６】
図３〜図５に示すように、配線ユニット５は合成樹脂製ブロックとして成形されたもので、前記支持レール４の凹溝部２と略同じ縦断面形状でこれと連続するように前方へ開口した、前記カウンター１の後端部を嵌合するための凹所６が形成されている。配線ユニット５の凹所６下側の下部２０は、前記支持レール４のカバー１２を含めたレール本体１０の下片部１４と略同じ縦断面外形状に形成されている。配線ユニット５は、その凹所６がカウンター１の後端部に嵌合されて、壁面３との間で挟持されるだけで固定支持されるが、壁面３に対してネジ固定或いは接着固定されてもよい。
【００２７】
このように、カウンター１が壁面３に対して支持固定された状態で、このカウンター１上にはパソコン、テレビ、調理機器等の電気機器を載置することができる。配線ユニット５の凹所６上側の上部１９前面には配線コネクタ部７が設けられており、この場合、配線コネクタ部７は、電気機器から引き出される電源コード先端のプラグが差込接続される電源コンセントである。なお、配線コネクタ部７としては、図６に示すように、電気機器から引き出されるモジュラーケーブル先端のコネクタが差込接続されるモジュラージャック（コネクタ）であってもよい。
【００２８】
そして、図３に示すように、配線ユニット５の上部１９後方は配線スペース８として後面に開口されており、配線コネクタ部７からの配線９が同配線スペース８を通して壁面３の裏側外部に導出されるようになっている。このように施工されると、壁裏配線が有効に活用されて壁面３上に配線９は露出せず、同壁面３に設けるべきコンセントやモジュラージャック等の配線機器を配線ユニット５として容易に設置することができる。
【００２９】
したがって、この実施形態のカウンター取付構造においては、配線ユニット５が支持レール４の長手方向端部に隣接して配置され、この配線ユニット５には支持レール４の凹溝部２と略同じ縦断面形状でこれと連続するよう前方へ開口してカウンター１の後端部が嵌合される凹所６が形成されているので、カウンター１が厚くても、カウンター１の後端部は支持レール４の凹溝部２に支障なく嵌合支持されて確実強固に支持される。しかも、カウンター１の後端部は、連続する支持レール４の凹溝部２と配線ユニット５の凹所６とに嵌合されて納まり、コンパクトな外観に仕上がって美観性が向上される。そして、配線ユニット５の凹所６上側の上部１９に配線コネクタ部７が設けられ、この配線コネクタ部７はカウンター１の後方上側に近接配置されることになるので、カウンター１上に電気機器が載置された場合に、電気機器から引き出される配線の配線コネクタ部７への引き回し接続を容易に且つ整然と行うことができる。
【００３０】
又、この実施形態のカウンター取付構造においては、配線ユニット５の両側に支持レール４が配設されるので、カウンター１の後端部の長手方向中程に配線ユニット５を配置させることができ、この配線ユニット５とカウンター１上に載置される電気機器との配線接続はより自由度を増して、電気機器の載置位置に関する使い勝手が向上される。
【００３１】
又、この実施形態のカウンター取付構造においては、配線ユニット５の凹所６下側の下部２０が支持レール４と略同じ縦断面外形状に形成されているので、カウンター１の後端部下側において、支持レール４と配線ユニット５とが一連の外観形状に納まり、美観性をより向上させることができる。
【００３２】
又、この実施形態のカウンター取付構造においては、配線ユニット５の上部１９前面に配線コネクタ部７が設けられるので、この配線コネクタ部７に対する電気機器の配線接続は前方から行い易くなる。しかも、配線ユニット５の上部１９後方が配線スペース８として後面に開口され、配線コネクタ部７からの配線９は同配線スペース８を通して壁面３の裏側外部に導出されるようになっているので、配線コネクタ部７からの配線９を壁面３に露出しないように施工することができ、配線ユニット５周辺は外観良好に納められる。
【００３３】
なお、上記実施形態では、二本の支持レール４の間に一つの配線ユニット５を介在させているが、本願発明にあっては、支持レール４及び配線ユニット５の設置数や設置形態がこのものに限定されるものではなく、例えば、複数の配線ユニット５を設置することができ、この場合、配線ユニット５を相互に隣接設置させたり、配線ユニット５の間に支持レール４を介在させたりすることもでき、いずれにしても、支持レール４の長手方向端部に隣接して配置される配線ユニット５を備えていればよいものである。
【符号の説明】
【００３４】
１  カウンター
２  凹溝部
３  壁面
４  支持レール
５  配線ユニット
６  凹所
７  配線コネクタ部
８  配線スペース
９  配線
【図１】
2010184056.tif 000003
【図２】
2010184056.tif 000004
【図３】
2010184056.tif 000005
【図４】
2010184056.tif 000006
【図５】
2010184056.tif 000007
【図６】
2010184056.tif 000008
【図７】
2010184056.tif 000009
【図８】
2010184056.tif 000010